(57)【要約】【課題】メディア変換サービスをより低価格で提供し、メディア変換サービスを普及させる。また、記録媒体への記録時間の短縮を図る。【解決手段】画像データ記録装置１により、メモリカ―ド又はネガフィルムから画像データが読み込まれる（ステップＳ３，Ｓ６）。次に、広告情報判別部１３において、ＣＤ−Ｒに広告情報が記録されているか否かが判別される（ステップＳ７）。広告情報が記録されている場合には（ステップＳ７；ＹＥＳ）、画像データと、画像情報再生プログラムと、広告情報再生プログラムとが記録され（ステップＳ８）、料金計算情報に基づいてメディア変換サービスの料金が計算される（ステップＳ９）。広告情報が記録されていない場合には（ステップＳ７；ＮＯ）、画像データと、画像情報再生プログラムとが記録され（ステップＳ１０）、メディア変換サービスの料金が計算される（ステップＳ１１）。【選択図】  図４
2004206433.tif 000002
【特許請求の範囲】
【請求項１】
第一の記録媒体に記録されている画像データを読み込む第一の読込部と、前記読み込まれた画像データを第二の記録媒体に記録する書込部と、を備えた画像データ記録装置において、
前記第二の記録媒体に広告情報が記録されているか否かを判別する広告情報判別部と、
前記判別された結果に基づいて、当該画像データ記録装置が提供するサービスの料金を計算する料金計算部と、
を備えたことを特徴とする画像データ記録装置。
【請求項２】
前記書込部は、さらに、
前記広告情報を再生する機能を実現させるプログラムを前記第二の記録媒体に記録することを特徴とする請求項１に記載の画像データ記録装置。
【請求項３】
前記広告情報を利用者に選択させる選択部を備え、
前記書込部は、前記選択部により選択された広告情報を前記第二の記録媒体に記録することを特徴とする請求項１又は２に記載の画像データ記録装置。
【請求項４】
前記書込部は、前記広告情報が記録された第二の記録媒体に、前記第一の読込部により読み込まれた画像データを記録することを特徴とする請求項１又は２に記載の画像データ記録装置。
【請求項５】
前記広告情報及び前記広告情報に対応する料金計算情報が記録された第二の記録媒体から前記料金計算情報を読み込む第二の読込部を備え、
前記料金計算部は、前記料金計算情報に基づいて、料金を計算することを特徴とする請求項１又は２に記載の画像データ記録装置。
【請求項６】
第一の記録媒体に記録されている画像データを読み込む第一の読込部と、前記読み込まれた画像データを第二の記録媒体に記録する書込部と、を備えた画像データ記録装置において、
前記第二の記録媒体に、ネットワークに接続して最新の広告情報を取得する機能と、前記取得された広告情報を再生する機能と、を実現させる広告情報取得再生プログラムが記録されているか否かを判別する広告情報取得再生プログラム判別部と、
前記判別された結果に基づいて、当該画像データ記録装置が提供するサービスの料金を計算する料金計算部と、
を備えたことを特徴とする画像データ記録装置。
【請求項７】
前記書込部は、さらに、
前記広告情報取得再生プログラムを前記第二の記録媒体に記録することを特徴とする請求項６に記載の画像データ記録装置。
【請求項８】
前記書込部は、前記広告情報取得再生プログラムが記録された第二の記録媒体に、前記第一の読込部により読み込まれた画像データを記録することを特徴とする請求項６に記載の画像データ記録装置。
【請求項９】
前記広告情報取得再生プログラム及び前記広告情報取得再生プログラムに対応する料金計算情報が記録された第二の記録媒体から前記料金計算情報を読み込む第二の読込部を備え、
前記料金計算部は、前記料金計算情報に基づいて、料金を計算することを特徴とする請求項６に記載の画像データ記録装置。
【発明の詳細な説明】
【０００１】
【発明の属する技術分野】
本発明は、画像データを記録媒体に記録する画像データ記録装置に関する。
【０００２】
【従来の技術】
近年、デジタルカメラの普及により、写真店やコンビニエンス・ストア等の店舗で、デジタルカメラで撮影した画像データをメモリカード等から読み込み、その画像データをＣＤ−Ｒ（Compact Disk-Recordable）等の他の記録媒体に書き込む画像データ記録装置を用いて、メディア変換を行うメディア変換サービスが行われている。
【０００３】
このサービスに加えて、広告等のデジタル情報を、利用者が持ち込んだメモリカードや、画像データを書き込むＣＤ−Ｒ等の記録媒体に記録する画像データ出力装置が提案されている（例えば、特許文献１参照。）。このように利用者が持ち込んだ画像データ以外の情報を書き込むことにより、メモリカードやＣＤ−Ｒの空き容量を有効に利用することができる。
【０００４】
【特許文献１】
特開２００１−２８２９１８号公報
【０００５】
【発明が解決しようとする課題】
しかし、メディア変換サービスの利用者を増加させるためには、より低価格でのサービスが望まれる。また、特許文献１のようにメモリカードに記録されている画像データ以外のデジタル情報を書き込む場合には、データを書き込む時間が余分にかかるという問題があった。
【０００６】
本発明は以上の従来技術における問題に鑑みてなされたものであって、メディア変換サービスをより低価格で提供し、メディア変換サービスを普及させることと、記録媒体への記録時間の短縮を図ることを目的とする。
【０００７】
【課題を解決するための手段】
上記の課題を解決するための請求項１に記載の発明は、第一の記録媒体に記録されている画像データを読み込む第一の読込部と、前記読み込まれた画像データを第二の記録媒体に記録する書込部と、を備えた画像データ記録装置において、前記第二の記録媒体に広告情報が記録されているか否かを判別する広告情報判別部と、前記判別された結果に基づいて、当該画像データ記録装置が提供するサービスの料金を計算する料金計算部と、を備えたことを特徴とする画像データ記録装置である。
【０００８】
請求項１に記載の発明によれば、第二の記録媒体に広告情報が記録されているか否かに応じて、第二の記録媒体へ画像データを記録する料金を設定することができるので、利用者に、より低価格でメディア変換サービスを提供することができる。そのため、メディア変換サービスの普及に貢献し、メディア変換サービスを行う店舗の利益を増大させることができる。また、広告情報を第二の記録媒体へ記録することによって、広告主が提供する広告情報を利用者に伝達することができる。
【０００９】
請求項２に記載の発明は、前記書込部は、さらに、前記広告情報を再生する機能を実現させるプログラムを前記第二の記録媒体に記録することを特徴とする請求項１に記載の画像データ記録装置である。
【００１０】
請求項２に記載の発明によれば、広告情報を再生する機能を実現させるプログラムを第二の記録媒体に記録することによって、広告主が提供する広告情報を利用者に見せることができる。そのため、広告主が提供する広告情報の広告効果を上げることができる。
【００１１】
請求項３に記載の発明は、前記広告情報を利用者に選択させる選択部を備え、前記書込部は、前記選択部により選択された広告情報を前記第二の記録媒体に記録することを特徴とする請求項１又は２に記載の画像データ記録装置である。
【００１２】
請求項３に記載の発明によれば、利用者の希望に従って広告情報を選択させることができるので、利用者に興味のある広告情報を提供することができる。したがって、広告主が希望する広告効果を上げることができる。
【００１３】
請求項４に記載の発明は、前記書込部は、前記広告情報が記録された第二の記録媒体に、前記第一の読込部により読み込まれた画像データを記録することを特徴とする請求項１又は２に記載の画像データ記録装置である。
【００１４】
請求項４に記載の発明によれば、広告情報が予め第二の記録媒体に記録されているので、広告情報を第二の記録媒体に記録する時間が必要ない。そのため、第二の記録媒体への記録時間を短縮することができる。したがって、より短時間でメディア変換サービスを利用したいという利用者の要望に応えることができ、メディア変換サービスの普及に貢献することができる。
【００１５】
請求項５に記載の発明は、前記広告情報及び前記広告情報に対応する料金計算情報が記録された第二の記録媒体から前記料金計算情報を読み込む第二の読込部を備え、前記料金計算部は、前記料金計算情報に基づいて、料金を計算することを特徴とする請求項１又は２に記載の画像データ記録装置である。
【００１６】
請求項５に記載の発明によれば、広告情報とともに広告情報に対応する料金計算情報が第二の記録媒体に記録されているので、第二の記録媒体に記録されている料金計算情報に基づいて、画像データ記録装置が提供するサービスの料金を容易に計算することができる。
【００１７】
請求項６に記載の発明は、第一の記録媒体に記録されている画像データを読み込む第一の読込部と、前記読み込まれた画像データを第二の記録媒体に記録する書込部と、を備えた画像データ記録装置において、前記第二の記録媒体に、ネットワークに接続して最新の広告情報を取得する機能と、前記取得された広告情報を再生する機能と、を実現させる広告情報取得再生プログラムが記録されているか否かを判別する広告情報取得再生プログラム判別部と、前記判別された結果に基づいて、当該画像データ記録装置が提供するサービスの料金を計算する料金計算部と、を備えたことを特徴とする画像データ記録装置である。
【００１８】
請求項６に記載の発明によれば、第二の記録媒体に広告情報取得再生プログラムが記録されているか否かに応じて、第二の記録媒体へ画像データを記録する料金を設定することができるので、利用者に、より低価格でメディア変換サービスを提供することができる。そのため、メディア変換サービスの普及に貢献し、メディア変換サービスを行う店舗の利益を増大させることができる。また、広告情報取得再生プログラムにより、広告主が提供する最新の広告情報を利用者に見せることができる。そのため、広告主は、広告情報を更新することにより、様々な広告情報を利用者に提供することができる。
【００１９】
請求項７に記載の発明は、前記書込部は、さらに、前記広告情報取得再生プログラムを前記第二の記録媒体に記録することを特徴とする請求項６に記載の画像データ記録装置である。
【００２０】
請求項７に記載の発明によれば、広告情報取得再生プログラムを第二の記録媒体に記録することによって、広告主が提供する最新の広告情報を利用者に見せることができる。そのため、広告主は、広告情報を更新することにより、様々な広告情報を利用者に提供することができる。
【００２１】
請求項８に記載の発明は、前記書込部は、前記広告情報取得再生プログラムが記録された第二の記録媒体に、前記第一の読込部により読み込まれた画像データを記録することを特徴とする請求項６に記載の画像データ記録装置である。
【００２２】
請求項８に記載の発明によれば、広告情報取得再生プログラムが予め第二の記録媒体に記録されているので、広告情報取得再生プログラムを第二の記録媒体に記録する時間が必要ない。そのため、第二の記録媒体への記録時間を短縮することができる。したがって、より短時間でメディア変換サービスを利用したいという利用者の要望に応えることができ、メディア変換サービスの普及に貢献することができる。
【００２３】
請求項９に記載の発明は、前記広告情報取得再生プログラム及び前記広告情報取得再生プログラムに対応する料金計算情報が記録された第二の記録媒体から前記料金計算情報を読み込む第二の読込部を備え、前記料金計算部は、前記料金計算情報に基づいて、料金を計算することを特徴とする請求項６に記載の画像データ記録装置である。
【００２４】
請求項９に記載の発明によれば、広告情報取得再生プログラムとともに広告情報取得再生プログラムに対応する料金計算情報が第二の記録媒体に記録されているので、第二の記録媒体に記録されている料金計算情報に基づいて、画像データ記録装置が提供するサービスの料金を容易に計算することができる。
【００２５】
【発明の実施の形態】
［第１の実施の形態］
以下に、第１の実施の形態につき、図面を参照して説明する。
図１に、画像データ記録装置１が行うメディア変換サービスの概要を示す。図１に示すように、メディア変換サービスとは、画像データ記録装置１が提供するサービスであり、利用者が持ち込んだ第一の記録媒体に記録されている画像データや、インターネットＮを介して送信された画像データを、第二の記録媒体であるＣＤ−Ｒ等に記録するサービスをいう。画像データ記録装置１は、写真店やコンビニエンス・ストア等の店舗に設置されている。
【００２６】
第一の記録媒体に記録されている画像データは、メモリカード、フロッピー（登録商標）ディスク、ＣＤ−ＲＯＭ（Compact Disc Read Only Memory）、ＤＶＤ（Digital Versatile Disk）等の各種デジタル記録媒体に記録されている画像データでもよく、アナログカメラ等で撮影したネガフィルム、リバーサルフィルム等の各種アナログ記録媒体に記録されている画像をスキャナにより読み取った画像データでもよい。
【００２７】
広告主２は、画像データ記録装置１が設置されている写真店やコンビニエンス・ストア等の店舗に、広告情報を記録済のＣＤ−Ｒ等を準備しておく。広告情報とは、広告主２が宣伝広告を希望する営業情報や製品情報をいう。具体的に記録される情報としては、営業情報や製品情報が記載された画像データや、営業情報や製品情報が記載されたテキストデータ、営業情報や製品情報が記録された音声データ等であり、これらが複合して記録されていてもよく、これらの広告情報がＨＴＭＬ（Hyper Text Markup Language）で関連づけられていてもよい。広告情報を記録済のＣＤ−Ｒには、広告主２の企業名等が記されている。
また、広告情報を記録済のＣＤ−Ｒには、広告情報に対応する料金計算情報が記録されている。ここで、料金計算情報とは、料金を計算する際に用いられる情報をいい、広告情報の種類やそれに応じた割引料金等を含む。
広告情報を記録済のＣＤ−Ｒと未記録のＣＤ−Ｒは店舗内の陳列棚に並んでおり、利用者が手に取って選べるようになっている。
【００２８】
また、画像データ記録装置１は、インターネットＮに接続しており、利用者の自宅等のパーソナルコンピュータ（Personal Computer）３とインターネットＮを介して接続可能となっている。利用者はパーソナルコンピュータ３よりインターネットＮを介し、画像データ記録装置１に対し、画像データを送信することができる。
【００２９】
次に、図１に示す画像データ記録装置１について説明する。図２に、画像データ記録装置１の概観を示す。図２に示すように、画像データ記録装置１は、操作部８と、表示部９と、メモリスロット（第一の読込部）１０と、ＣＤ−Ｒドライブ（書込部、第二の読込部）１２と、レシート印刷部１６と、フィルム挿入口１８と、を備える。
【００３０】
図３に、図２に示す画像データ記録装置１の機能的構成を示す。図３に示すように、画像データ記録装置１は、ＣＰＵ（Central Processing Unit）４と、ＲＯＭ（Read Only Memory）５と、ＲＡＭ（Random Access Memory）６と、記憶部７と、操作部８と、表示部９と、メモリスロット１０と、スキャナ１１（第一の読込部）と、ＣＤ−Ｒドライブ１２と、広告情報判別部１３と、料金計算部１４と、ネットワーク接続部１５と、レシート印刷部１６と、を備えて構成され、各部はバス１７により接続されている。
【００３１】
ＣＰＵ４は、操作部８から入力される各種指示又はネットワーク接続部１５から入力されるデータに従って、ＲＯＭ５や記憶部７に記録されている各種プログラムの中から指定されたプログラムをＲＡＭ６のワークエリアに展開し、上記プログラムとの協働によって各種処理を実行し、その処理結果をＲＡＭ６の所定の領域に格納する。
【００３２】
ＲＯＭ５は、不揮発性の半導体メモリで構成される。ＲＯＭ５は、ＣＰＵ４により実行される画像データ記録装置１の各種プログラムやデータ等を記憶する。
【００３３】
ＲＡＭ６は、書き換え可能な半導体素子で構成される。ＲＡＭ６は、データが一時的に保存される記憶媒体であり、ＣＰＵ４が実行するためのプログラムを展開するためのプログラムエリア、操作部８やネットワーク接続部１５から入力されるデータやＣＰＵ４による各種処理結果等を保存するためのデータエリア、等が形成される。
【００３４】
記憶部７は、ＨＤＤ（Hard Disk Drive）を備えて構成され、メモリスロット１０又はスキャナ１１から読み込まれた画像データを記憶する。また、記憶部７は、画像情報を再生するための画像情報再生プログラムや広告情報を再生するための広告情報再生プログラムを記憶している。例えば、ＣＰＵ４から画像データの記憶指示がなされると、ＨＤＤ内の空き容量を判定し、空き領域内に指示された画像データを記憶する。また、ＣＰＵ４からプログラムやデータの読み出し指示がなされると、その指示された情報をＨＤＤから読み出してＣＰＵ４へ出力する。
【００３５】
操作部８は、数字キーや各種機能キー（スタートキー等）を備える。そして、これらのキーが押下された場合には、その押下信号をＣＰＵ４へ出力する。なお、この操作部８は、表示部９と一体となったタッチパネルにより構成されることとしてもよい。
【００３６】
表示部９は、ＬＣＤ（Liquid Crystal Display）やＴＦＴ（Thin Film Transistor）等で構成され、ＣＰＵ４からの表示信号に従って、画面表示を行う。
【００３７】
メモリスロット１０には、メモリカードが差し込み可能になっている。メモリカードには、例えば、デジタルカメラで撮像した複数の画像データが記憶されている。メモリスロット１０は、ＣＰＵ４の制御に従って、メモリカードに記録された画像データを読み込み、ＣＰＵ４に出力する。
【００３８】
スキャナ１１は、ＣＰＵ４の制御に従って、フィルム挿入口１８に挿入されたネガフィルムから画像を読み込み、読み込んだ画像データをＣＰＵ４に出力する。
【００３９】
ＣＤ−Ｒドライブ１２は、ＣＤ−Ｒが差し込み可能になっている。ＣＤ−Ｒドライブ１２は、ＣＰＵ４の制御に従って、画像データ、画像情報再生プログラム、広告情報再生プログラムをＣＤ−Ｒに書き込む。また、ＣＤ−Ｒドライブ１２は、ＣＰＵ４の制御に従って、ＣＤ−Ｒのデータや料金計算情報を読み込む。
【００４０】
広告情報判別部１３は、ＣＤ−Ｒドライブ１２から読み込まれたＣＤ−Ｒの情報に基づいて、ＣＤ−Ｒに広告情報が記録されているか否かを判別する。具体的には、ＣＤ−Ｒの所定のフォルダもしくはファイルを検索し、該当するフォルダもしくはファイルが存在するか否かで判別したり、ＣＤ−Ｒの所定のファイルを読み取り、そのファイル内に記述された判別情報に基づいて判別する。この広告情報判別部１３は、ＲＯＭ５に格納された広告情報判別プログラムとＣＰＵ４との協働によってソフトウェア処理で実現される。
【００４１】
料金計算部１４は、広告情報判別部１３で判別された結果に基づいて、画像データ記録装置１が行うメディア変換サービスの料金を計算する。具体的には、広告情報が記録されている場合と、記録されていない場合とで画像データ記録サービスの料金単価を変更したり、広告情報が記録されている場合のみ、料金の割引きが行われるようにする。本実施の形態では、料金計算情報として、料金が記載されているテキストファイルが予めＣＤ−Ｒに記録されており、そのテキストファイルに基づいて料金単価の変更や、料金の割引きが行われる。この料金計算部１４は、ＲＯＭ５に格納された料金計算プログラムとＣＰＵ４との協働によってソフトウェア処理で実現される。
【００４２】
ネットワーク接続部１５は、インターネットＮと接続しており、ＣＰＵ４から入力される指示に従ってデータの送受信を行う。
【００４３】
レシート印刷部１６は、料金計算部１４により計算された料金をレシートに印刷して、排出する。レシート印刷部１６は、計算された料金を印字するものであればよく、例えば、インクジェット方式、電子写真方式、感熱方式、昇華方式の印刷装置であってもよい。
【００４４】
以下に本実施の形態における画像データ記録装置１の動作を説明する。
利用者が、持ち込んだメモリカ―ド又はネガフィルムを画像データ記録装置１のメモリスロット１０又はフィルム挿入口１８に挿入し、広告情報を記録済のＣＤ−Ｒ又は未記録のＣＤ−ＲをＣＤ−Ｒドライブ１２に挿入し、操作部８のスタートキーを押下することにより、画像データ記録装置１の処理が開始される。
【００４５】
図４は、第１の実施の形態において画像データ記録装置１により実行される処理を示すフローチャートである。
まず、メモリスロット１０にメモリカ―ドが挿入されているかが判断される（ステップＳ１）。メモリスロット１０にメモリカ―ドが挿入されている場合には（ステップＳ１；ＹＥＳ）、ＣＤ−Ｒドライブ１２にＣＤ−Ｒが挿入されているかが判断される（ステップＳ２）。ＣＤ−Ｒドライブ１２にＣＤ−Ｒが挿入されている場合には（ステップＳ２；ＹＥＳ）、メモリスロット１０により、メモリカ―ドに記録された画像データが読み込まれる（ステップＳ３）。読み込まれた画像データは記憶部７に記憶される。
【００４６】
メモリスロット１０にメモリカ―ドが挿入されていない場合には（ステップＳ１；ＮＯ）、スキャナ１１にネガフィルムがセットされているかが判断される（ステップＳ４）。スキャナ１１にネガフィルムがセットされている場合には（ステップＳ４；ＹＥＳ）、ＣＤ−Ｒドライブ１２にＣＤ−Ｒが挿入されているかが判断される（ステップＳ５）。ＣＤ−Ｒドライブ１２にＣＤ−Ｒが挿入されている場合には（ステップＳ５；ＹＥＳ）、スキャナ１１により、ネガフィルムから画像データが読み込まれる（ステップＳ６）。読み込まれた画像データは記憶部７に記憶される。
【００４７】
次に、広告情報判別部１３において、ＣＤ−Ｒに広告情報が記録されているか否かが判別される（ステップＳ７）。
ＣＤ−Ｒに広告情報が記録されている場合には（ステップＳ７；ＹＥＳ）、広告情報を記録済のＣＤ−Ｒに、メモリカ―ド又はネガフィルムから読み込まれた画像データと、記憶部７から取得された画像情報再生プログラムと、広告情報再生プログラムと、が記録される（ステップＳ８）。そして、料金計算部１４において、料金計算情報に基づいて、メディア変換サービスの料金が計算される（ステップＳ９）。この料金は、ＣＤ−Ｒへ記録される画像データの情報量に従って計算された金額から、料金計算情報に基づいて割引きされるように設定されている。あるいは、ＣＤ−Ｒへ記録される画像データの料金単価を変更することとしてもよい。
【００４８】
ＣＤ−Ｒに広告情報が記録されていない場合には（ステップＳ７；ＮＯ）、未記録のＣＤ−Ｒに、メモリカ―ド又はネガフィルムから読み込まれた画像データと、記憶部７から取得された画像情報再生プログラムと、が記録される（ステップＳ１０）。そして、料金計算部１４において、ＣＤ−Ｒへ記録される画像データの情報量に従ってメディア変換サービスの料金が計算される（ステップＳ１１）。
【００４９】
続いて、レシート印刷部１６により、料金計算部１４で計算された料金が印字されたレシートが印刷され、レシートが排出される（ステップＳ１２）。
利用者はレシートに印刷された料金を支払い、持参したメモリカード又はネガフィルムと、画像データが記録されたＣＤ−Ｒを受け取る。
【００５０】
したがって、本実施の形態の画像データ記録装置１によれば、ＣＤ−Ｒに広告情報が記録されているか否かに応じてメディア変換サービスの料金を設定することができるので、利用者に、より低価格でメディア変換サービスを提供することができる。そのため、メディア変換サービスの普及に貢献し、メディア変換サービスを行う店舗の利益を増大させることができる。また、広告情報がＣＤ−Ｒに記録されているので、広告主が提供する広告情報を利用者に伝達することができる。
【００５１】
また、利用者は、陳列棚に並んだＣＤ−Ｒの中から希望する広告情報の記録されたＣＤ−Ｒを選択することができる。
さらに、広告情報が予めＣＤ−Ｒに記録されているので、広告情報をＣＤ−Ｒに記録する時間が必要ない。そのため、ＣＤ−Ｒへの記録時間を短縮することができる。したがって、より短時間でメディア変換サービスを利用したいという利用者の要望に応えることができ、メディア変換サービスの普及に貢献することができる。
【００５２】
また、広告情報再生プログラムがＣＤ−Ｒに記録されるので、利用者は広告情報を見ることができる。そのため、広告主が提供する広告情報の広告効果を上げることができる。
【００５３】
また、広告情報とともに広告情報に対応する料金計算情報がＣＤ−Ｒに記録されているので、ＣＤ−Ｒに記録されている料金計算情報に基づいて、容易にメディア変換サービスの料金を計算することができる。
【００５４】
［第２の実施の形態］
次に、本発明を適用した第２の実施の形態について説明する。
図５に、画像データ記録装置１９が行うメディア変換サービスの概要を示す。図１に示す第１の実施の形態におけるメディア変換サービスとほぼ同様であるので、第２の実施の形態に特徴的な部分のみ説明する。
第１の実施の形態では、図１に示す広告主２は、広告情報を記録済のＣＤ−Ｒ等を準備しておいたが、第２の実施の形態では、広告主２０は、画像データ記録装置１９に、広告情報を記録させておく。
【００５５】
図６に、第２の実施の形態における画像データ記録装置１９の機能的構成を示す。図６に示すように、画像データ記録装置１９は、ＣＰＵ４と、ＲＯＭ５と、ＲＡＭ６と、記憶部７と、操作部８と、表示部９と、メモリスロット１０と、スキャナ１１と、ＣＤ−Ｒドライブ１２と、広告情報判別部１３と、料金計算部１４と、ネットワーク接続部１５と、レシート印刷部１６と、選択部２１と、を備えて構成され、各部はバス１７により接続されている。
【００５６】
画像データ記録装置１９は、第１の実施の形態に示した画像データ記録装置１と同様の構成によってなるため、同一の構成部分については同一の符号を付し、その構成については説明を省略する。以下、本第２の実施の形態に特徴的な構成及び処理について説明する。
【００５７】
記憶部７は、メモリスロット１０又はスキャナ１１から読み込まれた画像データを記憶する。また、記憶部７は、画像情報を再生するための画像情報再生プログラムや広告情報を再生するための広告情報再生プログラムの他、広告情報や料金計算情報を記憶している。
【００５８】
操作部８は、さらに、広告情報を記録することを選択する広告付きキーと広告情報を記録しないことを選択する広告なしキーとを備える。
【００５９】
ＣＤ−Ｒドライブ１２は、さらに、ＣＰＵ４の制御に従って、広告情報や料金計算情報をＣＤ−Ｒに書き込む。
【００６０】
選択部２１は、ＣＰＵ４の制御に従って、ＣＤ−Ｒに広告情報を記録するか否かを利用者に選択させる。例えば、選択部２１は、表示部９に、操作部８において広告付きキー又は広告なしキーを押下するよう表示させる。利用者により、操作部８の広告付きキー又は広告なしキーが押下されると、選択部２１は、その信号をＣＰＵ４に出力する。
また、選択部２１は、複数の広告情報の中から、ＣＤ−Ｒに記録する広告情報を利用者に選択させる。例えば、選択部２１は、表示部９に、複数の広告情報のタイトルを、操作部８の異なる数字キーと対応させて表示させる。
【００６１】
以下に本実施の形態における画像データ記録装置１９の動作を説明する。
以下の処理は、メモリカ―ドから画像データを読み込むことを前提にし、ネガフィルムから画像を読み込む場合の説明は省略するが、ネガフィルムから画像を読み込むこととしてもよい。
利用者が、持ち込んだメモリカ―ドを画像データ記録装置１９のメモリスロット１０に挿入し、操作部８において広告付きキー又は広告なしキーを押下することにより、画像データ記録装置１９の処理が開始される。画像データが記録されるＣＤ−Ｒは、予めＣＤ−Ｒドライブ１２に準備されていてもよいし、利用者によって挿入されてもよい。
【００６２】
図７は、第２の実施の形態において画像データ記録装置１９により実行される処理を示すフローチャートである。
まず、操作部８において、広告付きキーが押下されたかが判別される（ステップＳ２１）。
【００６３】
広告付きキーが押下された場合には（ステップＳ２１；ＹＥＳ）、表示部９に、複数の広告情報のタイトルが、操作部８の異なる数字キーと対応するように表示され、利用者によって、操作部８のどの数字キーが押下されたかが判断される（ステップＳ２２）。
次に、メモリスロット１０にメモリカ―ドが挿入されているかが判断される（ステップＳ２３）。メモリスロット１０にメモリカ―ドが挿入されている場合には（ステップＳ２３；ＹＥＳ）、ＣＤ−Ｒドライブ１２にＣＤ−Ｒが挿入されているかが判断される（ステップＳ２４）。ＣＤ−Ｒドライブ１２にＣＤ−Ｒが挿入されている場合には（ステップＳ２４；ＹＥＳ）、メモリスロット１０において、メモリカ―ドに記録された画像データが読み込まれる（ステップＳ２５）。読み込まれた画像データは記憶部７に記憶される。次に、未記録のＣＤ−Ｒに、メモリカ―ドから読み込まれた画像データと、記憶部７から取得された画像情報再生プログラムと、広告情報と、広告情報再生プログラムと、料金計算情報と、が記録される（ステップＳ２６）。ここで記録される広告情報は、利用者によって選択されたものであり、料金計算情報は、ＣＤ−Ｒに記録された広告情報に対応する情報である。
【００６４】
広告付きキーが押下されていない場合は（ステップＳ２１；ＮＯ）、広告なしキーが押下されたかが判別される（ステップＳ２７）。広告なしキーが押下された場合には（ステップＳ２７；ＹＥＳ）、メモリスロット１０にメモリカ―ドが挿入されているかが判断される（ステップＳ２８）。メモリスロット１０にメモリカ―ドが挿入されている場合には（ステップＳ２８；ＹＥＳ）、ＣＤ−Ｒドライブ１２にＣＤ−Ｒが挿入されているかが判断される（ステップＳ２９）。ＣＤ−Ｒドライブ１２にＣＤ−Ｒが挿入されている場合には（ステップＳ２９；ＹＥＳ）、メモリスロット１０において、メモリカ―ドに記録された画像データが読み込まれる（ステップＳ３０）。読み込まれた画像データは記憶部７に記憶される。次に、未記録のＣＤ−Ｒに、メモリカ―ドから読み込まれた画像データと、記憶部７から取得された画像情報再生プログラムと、が記録される（ステップＳ３１）。
【００６５】
次に、広告情報判別部１３において、ＣＤ−Ｒに広告情報が記録されているか否かが判別される（ステップＳ３２）。
ＣＤ−Ｒに広告情報が記録されている場合には（ステップＳ３２；ＹＥＳ）、ＣＤ−Ｒから料金計算情報が読み出される。そして、料金計算部１４において、料金計算情報に基づいて、メディア変換サービスの料金が計算される（ステップＳ３３）。この料金は、ＣＤ−Ｒへ記録される画像データの情報量に基づいて計算された金額から、料金計算情報に基づいて割引きされるように設定されている。
ＣＤ−Ｒに広告情報が記録されていない場合には（ステップＳ３２；ＮＯ）、料金計算部１４において、ＣＤ−Ｒへ記録される画像データの情報量に基づいてメディア変換サービスの料金が計算される（ステップＳ３４）。
【００６６】
続いて、レシート印刷部１６において、料金計算部１４により計算された料金が印字されたレシートが印刷され、レシートが排出される（ステップＳ３５）。利用者はレシートに印刷された料金を支払い、持参したメモリカードと、画像データが記録されたＣＤ−Ｒを受け取る。
【００６７】
したがって、本実施の形態の画像データ記録装置１９によれば、ＣＤ−Ｒに広告情報を記録するか否かに応じてメディア変換サービスの料金を設定することができるので、利用者に、より低価格でメディア変換サービスを提供することができる。
【００６８】
また、利用者の希望に従ってＣＤ−Ｒに記録する広告情報を選択させることができるので、利用者に興味のある広告情報を提供することができる。したがって、広告主が希望する広告効果を上げることができる。
また、広告情報とともに広告情報に対応する料金計算情報がＣＤ−Ｒに記録されるので、ＣＤ−Ｒに記録された料金計算情報に基づいて、容易にメディア変換サービスの料金を計算することができる。
【００６９】
なお、ＣＤ−Ｒに記録される広告情報は、利用者の希望に従って２つ以上選択されることとしてもよい。
【００７０】
［第３の実施の形態］
次に、本発明を適用した第３の実施の形態について説明する。
図８に、第３の実施の形態における画像データ記録装置２２の機能的構成を示す。図８に示すように、画像データ記録装置２２は、ＣＰＵ４と、ＲＯＭ５と、ＲＡＭ６と、記憶部７と、操作部８と、表示部９と、メモリスロット１０と、スキャナ１１と、ＣＤ−Ｒドライブ１２と、料金計算部１４と、ネットワーク接続部１５と、レシート印刷部１６と、選択部２１と、広告情報取得再生プログラム判別部２３と、を備えて構成され、各部はバス１７により接続されている。
【００７１】
画像データ記録装置２２は、第２の実施の形態に示した画像データ記録装置１９と同様の構成によってなるため、同一の構成部分については同一の符号を付し、その構成については説明を省略する。以下、本第３の実施の形態に特徴的な構成及び処理について説明する。
【００７２】
記憶部７は、メモリスロット１０又はスキャナ１１から読み込まれた画像データを記憶する。また、記憶部７は、画像情報再生プログラムや広告情報取得再生プログラムを記憶している。
広告情報取得再生プログラムとは、ネットワークに接続して最新の広告情報を取得する機能と、取得された広告情報を再生する機能と、を実現させるプログラムをいう。
【００７３】
選択部２１は、ＣＰＵ４の制御に従って、ＣＤ−Ｒに広告情報取得再生プログラムを記録するか否かを利用者に選択させる。そして、広告情報取得再生プログラムを記録する場合には、ＣＤ−Ｒドライブ１２は、広告情報取得再生プログラムをＣＤ−Ｒに書き込む。
【００７４】
広告情報取得再生プログラム判別部２３は、ＣＤ−Ｒに広告情報取得再生プログラムが記録されているか否かを判別する。具体的には、第１の実施の形態における広告情報判別部１３と同様に、ＣＤ−Ｒの所定のフォルダもしくはファイルを検索し、該当するフォルダもしくはファイルが存在するか否かで判別したり、ＣＤ−Ｒの所定のファイルを読み取り、そのファイル内に記述された判別情報に基づいて判別する。この広告情報取得再生プログラム判別部２３は、ＲＯＭ５に格納された広告情報取得再生プログラム判別プログラムとＣＰＵ４との協働によってソフトウェア処理で実現される。
料金計算部１４は、この判別された結果に基づいて、メディア変換サービスの料金を計算する。
【００７５】
第２の実施の形態では、ＣＤ−Ｒに広告情報と広告情報再生プログラムとを記録することにより、利用者に広告情報を提供することとしたが、本実施の形態の画像データ記録装置２２によれば、ＣＤ−Ｒに広告情報取得再生プログラムを記録することにより、利用者に広告情報を提供することができる。例えば、この広告情報取得再生プログラムにより、利用者のパーソナルコンピュータ等からインターネットに接続し、広告主が広告情報を記録するサーバから広告情報をダウンロードし、最新の広告情報を再生することが可能となる。そのため、広告主は、広告情報を更新することにより、様々な営業情報や製品情報を利用者に提供することができる。また、広告情報取得再生プログラムが記録されているか否かに応じて、ＣＤ−Ｒへ画像データを記録する料金を設定することができるので、利用者に、より低価格でメディア変換サービスを提供することができる。
【００７６】
なお、上記広告情報取得再生プログラムは、予めＣＤ−Ｒに記録されていることとしてもよい。この場合、広告情報取得再生プログラムが予めＣＤ−Ｒに記録されているので、広告情報取得再生プログラムをＣＤ−Ｒに記録する時間が必要ない。そのため、ＣＤ−Ｒへの記録時間を短縮することができる。したがって、より短時間でメディア変換サービスを利用したいという利用者の要望に応えることができ、メディア変換サービスの普及に貢献することができる。
【００７７】
また、広告情報取得再生プログラムとともに広告情報取得再生プログラムに対応する料金計算情報が予めＣＤ−Ｒに記録されていることとしてもよい。この場合、ＣＤ−Ｒから料金計算情報を読み込み、読み込んだ料金計算情報に基づいて、メディア変換サービスの料金を容易に計算することができる。
【００７８】
なお、以上の各実施の形態においては、利用者が持ち込む記録媒体をメモリカードやネガフィルムとしたが、本発明はこれに限定されるものではなく、フロッピーディスク、ＣＤ−ＲＯＭ、ＤＶＤ、リバーサルフィルム等であってもよい。また、以上の各実施の形態においては、画像データ記録装置が画像データをＣＤ−Ｒに記録することとしたが、本発明はこれに限定されるものではなく、光ディスクやＤＶＤ（Digital Versatile Disk）等であってもよい。
【００７９】
また、以上の各実施の形態においては、利用者が、画像データ記録装置が設置された写真店やコンビニエンス・ストア等の店舗に行ってメディア変換を行う例を示したが、自宅等のパーソナルコンピュータからインターネットを介して画像データ記録装置に接続し、画像データを画像データ記録装置へ送信して、ＣＤ−Ｒ等へ記録することも可能である。
【００８０】
なお、以上の各実施の形態における記述は、本発明に係る好適な画像データ記録装置の例であり、これに限定されるものではない。
その他、各実施の形態における画像データ記録装置を構成する各部の細部構成及び細部動作に関しても本発明の趣旨を逸脱することのない範囲で適宜変更可能である。
【００８１】
【発明の効果】
上述したように、請求項１に記載の発明によれば、第二の記録媒体に広告情報が記録されているか否かに応じて、第二の記録媒体へ画像データを記録する料金を設定することができるので、利用者に、より低価格でメディア変換サービスを提供することができる。そのため、メディア変換サービスの普及に貢献し、メディア変換サービスを行う店舗の利益を増大させることができる。また、広告情報を第二の記録媒体へ記録することによって、広告主が提供する広告情報を利用者に伝達することができる。
【００８２】
上述したように、請求項２に記載の発明によれば、広告情報を再生する機能を実現させるプログラムを第二の記録媒体に記録することによって、広告主が提供する広告情報を利用者に見せることができる。そのため、広告主が提供する広告情報の広告効果を上げることができる。
【００８３】
上述したように、請求項３に記載の発明によれば、利用者の希望に従って広告情報を選択させることができるので、利用者に興味のある広告情報を提供することができる。したがって、広告主が希望する広告効果を上げることができる。
【００８４】
上述したように、請求項４に記載の発明によれば、広告情報が予め第二の記録媒体に記録されているので、広告情報を第二の記録媒体に記録する時間が必要ない。そのため、第二の記録媒体への記録時間を短縮することができる。したがって、より短時間でメディア変換サービスを利用したいという利用者の要望に応えることができ、メディア変換サービスの普及に貢献することができる。
【００８５】
上述したように、請求項５に記載の発明によれば、広告情報とともに広告情報に対応する料金計算情報が第二の記録媒体に記録されているので、第二の記録媒体に記録されている料金計算情報に基づいて、画像データ記録装置が提供するサービスの料金を容易に計算することができる。
【００８６】
上述したように、請求項６に記載の発明によれば、第二の記録媒体に広告情報取得再生プログラムが記録されているか否かに応じて、第二の記録媒体へ画像データを記録する料金を設定することができるので、利用者に、より低価格でメディア変換サービスを提供することができる。そのため、メディア変換サービスの普及に貢献し、メディア変換サービスを行う店舗の利益を増大させることができる。また、広告情報取得再生プログラムにより、広告主が提供する最新の広告情報を利用者に見せることができる。そのため、広告主は、広告情報を更新することにより、様々な広告情報を利用者に提供することができる。
【００８７】
上述したように、請求項７に記載の発明によれば、広告情報取得再生プログラムを第二の記録媒体に記録することによって、広告主が提供する最新の広告情報を利用者に見せることができる。そのため、広告主は、広告情報を更新することにより、様々な広告情報を利用者に提供することができる。
【００８８】
上述したように、請求項８に記載の発明によれば、広告情報取得再生プログラムが予め第二の記録媒体に記録されているので、広告情報取得再生プログラムを第二の記録媒体に記録する時間が必要ない。そのため、第二の記録媒体への記録時間を短縮することができる。したがって、より短時間でメディア変換サービスを利用したいという利用者の要望に応えることができ、メディア変換サービスの普及に貢献することができる。
【００８９】
上述したように、請求項９に記載の発明によれば、広告情報取得再生プログラムとともに広告情報取得再生プログラムに対応する料金計算情報が第二の記録媒体に記録されているので、第二の記録媒体に記録されている料金計算情報に基づいて、画像データ記録装置が提供するサービスの料金を容易に計算することができる。
【図面の簡単な説明】
【図１】第１の実施の形態の画像データ記録装置１が行うメディア変換サービスの概要を示す図である。
【図２】第１の実施の形態の画像データ記録装置１の概観図である。
【図３】第１の実施の形態の画像データ記録装置１の機能的構成を示すブロック図である。
【図４】第１の実施の形態において画像データ記録装置１により実行される処理を示すフローチャートである。
【図５】第２の実施の形態の画像データ記録装置１９が行うメディア変換サービスの概要を示す図である。
【図６】第２の実施の形態の画像データ記録装置１９の機能的構成を示すブロック図である。
【図７】第２の実施の形態において画像データ記録装置１９により実行される処理を示すフローチャートである。
【図８】第３の実施の形態の画像データ記録装置２２の機能的構成を示すブロック図である。
【符号の説明】
１  画像データ記録装置
２  広告主
３  パーソナルコンピュータ
４  ＣＰＵ
５  ＲＯＭ
６  ＲＡＭ
７  記憶部
８  操作部
９  表示部
１０  メモリスロット（第一の読込部）
１１  スキャナ（第一の読込部）
１２  ＣＤ−Ｒドライブ（書込部、第二の読込部）
１３  広告情報判別部
１４  料金計算部
１５  ネットワーク接続部
１６  レシート印刷部
１７  バス
１８  フィルム挿入口
１９  画像データ記録装置
２０  広告主
２１  選択部
２２  画像データ記録装置
２３  広告情報取得再生プログラム判別部
【図１】
2004206433.tif 000003
【図２】
2004206433.tif 000004
【図３】
2004206433.tif 000005
【図４】
2004206433.tif 000006
【図５】
2004206433.tif 000007
【図６】
2004206433.tif 000008
【図７】
2004206433.tif 000009
【図８】
2004206433.tif 000010